(57)【要約】      （修正有）【課題】一つのモードで切り替えを行うことなく、連続した動画と所定時間スナップムービーを同時に記録することができる撮像装置を提供する。【解決手段】連続動画記録用とは別に、一定時間記録用のエンコーダと一時記録媒体を用いて、連続動画から所定時間遅れた映像を、別ファイルとしてスナップムービー記録する。【選択図】図１
2016025484.tif 000002
【特許請求の範囲】
【請求項１】
連続動画を撮像できる撮像カメラと、
連続動画の記録を指示するための第１の操作部と、
所定時間の動画を一時的に保存しておくための記録媒体と、
所定時間の動画の記録を指示するための第２の操作部と、
連続動画と所定時間の動画を記録できる記録媒体と、
を備えた撮像装置であって、
連続動画の記録中に、前記第２の操作部による操作を行うと、連続動画と共に所定時間の動画が記録されることを特徴とする撮像装置。
【請求項２】
前記第２の操作部は２段スイッチとなっており、
１段目の操作で一時記録媒体に蓄えられた動画を所定時間ｔ（ａ）遅らせて表示し、
２段目の操作で前記の遅らせて表示された動画から、所定時間ｔ（ｂ）の記録を行うことを特徴とする請求項１に記載の撮像装置。
【請求項３】
連続動画と所定時間の動画が同時に記録された際、連続動画に同時記録を行なった情報を、付加情報として記録することを特徴とする請求項１に記載の撮像装置。
【発明の詳細な説明】
【技術分野】
【０００１】
本発明は、映像を撮影するための撮像装置に係り、特に、記録の開始と終了をユーザーが指示した範囲で連続動画を記録しつづける手段と、記録の開始をユーザーが指示した後、所定時間経過後に自動的に撮影が終了するスナップムービー記録を行うための手段を持つ撮像装置において、連続動画記録中に、別ファイルとしてスナップムービー記録を行うための技術に関するものである。
【背景技術】
【０００２】
動画像を記録する装置として、記録媒体にディスクやフラッシュメモリ等のランダムアクセス可能な記録媒体を使ったデジタルビデオカメラ（以下ＤＶＣ）が普及している。また、静止画記録用として使われるデジタルスチルカメラ（以下デジタルカメラ）においても、動画を記録できる機能を持ったものが多くなってきている。
【０００３】
これらの機器の特徴として、ランダムアクセスが可能で、かつＰＣなど他のデジタル機器との親和性も高いことから、短時間の動画ファイル（スナップムービー）を作り、電子メールなどに添付して送信したり、Ｗｅｂページ上にアップロードして公開することも一般的となってきている。
【０００４】
ＤＶＣやデジタルカメラの記録モードとして、記録媒体の容量が許す限りユーザーの指示があるまで連続して記録を行うこれまでの使い方のモードと、電子メールでの配信などを目的とした、５秒、１０秒記録というような時間を制限して自動記録できるスナップムービー記録モードが選択できる機器が考えられる（特許文献１参照）。
【先行技術文献】
【特許文献】
【０００５】
【特許文献１】特開２００５−２０４８４号公報
【発明の概要】
【発明が解決しようとする課題】
【０００６】
しかしながら、上記の様な記録装置は、記録を行うための手段を一つしか持たないために、二つのモードを切り替えて記録する必要があり、連続動画とスナップムービーを同時に記録することが出来なかった。そのため、長時間の連続動画を記録したいという要望と、特に所望する映像はスナップムービーとして記録したいという要望は、同時に満たすことは出来ないという問題があった。
【０００７】
また、スナップムービーはその短い所定時間のために、ユーザーが所望の映像を取り逃がしてしまうという可能性があった。
【０００８】
本発明は、上記のような問題を鑑みてなされたものであり、その目的は、連続動画を途切れさせること無く、所望する映像は取り逃がすことなく、スナップムービーとして記録することが出来る撮像装置を提供することにある。
【課題を解決するための手段】
【０００９】
本発明の撮像装置の構成は、連続動画１０８を撮像できる撮像カメラ１０１と、連続動画１０８の記録を指示するための第１の操作部１０６と、所定時間の動画１０９を一時的に保存しておくための記録媒体１０４と、所定時間の動画１０９の記録を指示するための第２の操作部１１１と、連続動画１０８と所定時間の動画１０９を記録できる記録媒体１１０とを備えた撮像装置であって、連続動画１０８の記録中に、前記第２の操作部１１１による操作を行うと、連続動画１０８と共に所定時間の動画１０９が記録されることを特徴とする。
【発明の効果】
【００１０】
本発明によれば、一つのモードで切り替えを行うことなく、連続した動画と所定時間スナップムービーを同時に記録することが可能となり、第２の操作部１１１は２段スイッチとなっており、１段目でｔ（ａ）遅らせたタイムシフト映像を表示させ、これを見ながら２段目で記録開始ポイントにタイミングを合わせて記録開始する猶予時間が生まれ、所望する映像のタイミングを逃すことなく、スナップムービーとして記録することが可能となる。ここでいうタイムシフト表示とは、ストリームデータを一時記録媒体１０４に記録しながら、少し前のシーンに戻って表示することをいう。
【図面の簡単な説明】
【００１１】
【図１】本発明の一実施例に係る撮像装置の概略構成図である。
【図２】同撮像装置の動作を示すフローチャートである。
【図３】同撮像装置におけるユーザーの動作と撮像装置の動作と表示を示すタイミングチャートである。
【図４】同時撮影時における連続動画の構成を示す例である。
【発明を実施するための形態】
【００１２】
以下、本発明を実施するための形態に関して説明する。図１は、本発明の実施例に係る撮像装置の構成を示すブロック図である。撮像カメラ１０１はレンズと撮像素子を備えた撮影のためのカメラであり、入射した光は映像信号に変換され、図示しない映像信号処理部を通じてエンコーダ１（１０２−１）、エンコーダ２（１０２−２）に送信される。
【００１３】
エンコーダ１（１０２−１）、エンコーダ２（１０２−２）には撮像装置全体の制御を統括するマイコン１０５が接続され、撮像装置の動作にあわせて指示を行う。マイコン１０５には、ユーザーが撮像装置を操作するためのＲｅｃキー１０６、スナップムービーキー１１１、が接続され、ユーザーの操作に対応した制御を行う。
【００１４】
スナップムービーキー１１１は２段スイッチで、Ｓ１キー１１１−１とＳ２キー１１１−２とに分かれている。１段目でＳ１がｏｎとなり、２段目でＳ２がｏｎとなる。
【００１５】
マイコン１０５には、撮像装置の状況を表示するための表示部１０７が接続され、撮影映像、再生映像、あるいはユーザーへのメッセージ表示などを必要に応じて制御する。
【００１６】
エンコーダ１（１０２−１）は、受信した映像信号をマイコン１０５の指示に従い、連続動画ファイル１０８として記録メディア１１０に記録する。エンコーダ２（１０２−２）は、受信した映像信号を所定のフォーマットのストリームデータ１０３に変換する。変換されたストリームデータ１０３は、エンコーダ２（１０２−２）に接続された一時記録媒体１０４に一時的に蓄積される。
【００１７】
一時記録媒体１０４には記録メディア１１０が接続され、一時記録媒体１０４に蓄積されたストリームデータ１０３を、マイコン１０５の指示に従い、スナップムービーファイル１０９として記録メディア１１０に記録する。
【００１８】
以上のように構成された撮像装置について、以下その動作、効果について説明する。図２は本発明の実施例１に係る撮像装置における動作を示すフローチャートである。ユーザはまずＲＥＣキー１０６を操作することで、（ステップＳ１０１）エンコーダ１（１０２−１）に指示を出し、リアルタイムの映像を記録メディア１１０に連続動画記録開始Ｓ１０２指示を行う。次に、Ｓ１キー１１１−１を操作することで（Ｓ１０４）、一時記録媒体１０４に記録されたストリームデータを小画面２０１にタイムシフト表示する（Ｓ１０５）。
【００１９】
次に、Ｓ２キー１１１−２を操作することで（Ｓ１０６）、小画面２０１にタイムシフト表示しているストリームデータ１０３を記録メディア１１０にスナップムービーファイル１０９として記録開始する。この際記録メディア１１０に記録中の連続動画ファイル１０８に、スナップムービーファイル記録開始点に関する情報をマーキングする。（Ｓ１０７）。所定時間ｔ（ｂ）後、スナップムービーファイル１０９の記録を終了すると小画面でのタイムシフト表示も終了する（Ｓ１０８）。
【００２０】
この際、記録メディア１１０に記録中の連続動画ファイル１０８に、スナップムービーファイル記録終了点に関する情報をマーキングする。次にユーザーがＲＥＣキー１０６を操作することで連続動画の記録を終了する。（Ｓ１０９）
図３は本発明の実施例１に係る撮像装置において、連続動画記録中にスナップムービー記録指示を行った場合のユーザーの動作と撮像装置の動作と表示を示すタイミングチャートである。
【００２１】
Ｐｏｗｅｒ  ｏｎになっている状態でユーザがＲｅｃキーを操作すると、エンコーダ１（１０２−１）により連続動画記録が行われる。このとき画面２０１では連続動画スタンバイ表示２０１−ａが、連続動画記録中表示２０２−ｂに切り替わる。
【００２２】
また、Ｐｏｗｅｒ  ｏｎになっている状態では常に、エンコーダ２（１０２−２）によって一時記録媒体１０４にストリームデータ１０３が一時記録媒体１０４に一定時間記録されつづけている。
【００２３】
このときユーザーがＳ１キーを操作することで（Ｓ１０４）、小画面２０２が現れ、一時記録媒体１０４に記録されているストリームデータ１０３が所定時間ｔ（ａ）遅れて小画面２０１にタイムシフト表示される（Ｓ１０５）。この際、小画面２０２には、スナップムービースタンバイ表示２０２−ａが表示される。
【００２４】
さらにユーザーがＳ２キーを操作すると（Ｓ１０６）、タイムシフト表示されているストリームデータ１０３がスナップムービーファイル１０９として記録開始する。この際、小画面２０２には、スナップムービー記録中表示２０２−ｂが表示される。スナップムービーファイル１０９記録開始から所定時間ｔ（ｂ）後、スナップムービーファイル１０９の記録が終了し、小画面表示２０２が消える（Ｓ１０８）。
【００２５】
以上のように、本実施の形態による撮像装置においては、ユーザーは連続動画撮影中であっても、スナップムービー記録を行うことが出来る。さらに、ｔ（ａ）の猶予時間があることによって、ユーザーがより望ましい場面を取り逃がす可能性を低減することができるという効果がある。
【００２６】
また、スナップムービー記録開始点、終了点は、連続動画の中でも重要なシーンである場合が多いので、連続動画の付加データという形でマーキングすることで、これをガイドとして、再生、編集時の作業負荷を低減することができるという効果がある。
【００２７】
図４は２つのスナップムービーと同時記録を行なった際の連続動画の構成を簡素化した例である。連続動画ファイルはＡｕｄｉｏファイル、Ｖｉｄｅｏファイルの他に付加データを持っている。さらにその中にはスナップムービー管理データを持っている。スナップムービー管理データは同時撮影したスナップムービーの、記録開始時間と記録終了時間で構成されており、これが再生、編集を行なう際のガイドとして機能する。
【００２８】
以上、本発明の実施形態について説明したが、本発明は上記の実施形態に何ら限定されるものではなく、本発明の要旨を逸脱しない範囲内で適用可能である。
【符号の説明】
【００２９】
１０１  撮像レンズ、１０２−１  エンコーダ１、１０２−２  エンコーダ２、
１０３  ストリームデータ、１０４  一時記録媒体、１０５  マイコン、
１０６  Ｒｅｃキー、１１１−１  スナップムービーキー１、
１１１−２  スナップムービーキー２、１０７  表示部、１０８  連続動画ファイル、１０９  スナップムービーファイル、１１０  記録メディア、２０１  メイン画面、２０１−ａ  連続動画スタンバイ表示、２０１−ｂ  連続動画記録中表示、
２０２  小画面、２０１−ａ  スナップムービースタンバイ表示、
２０１−ｂ  スナップムービー記録中表示
【図１】
2016025484.tif 000003
【図２】
2016025484.tif 000004
【図３】
2016025484.tif 000005
【図４】
2016025484.tif 000006